(57)【要約】【課題】小型の液晶ディスプレイ等の画面では、限られた表示領域において画像等をできるだけ広い範囲で表示させる必要があることから、操作ガイドによって表示内容の一部が隠れることが問題であった。【解決手段】表示画面Ｄ１に最初に写真を表示するときには、操作タイトルＤ２０、操作キーガイドＤ３１，Ｄ３２，Ｄ３３，Ｄ３４、操作機能ガイドＤ４０、及び枚数情報Ｄ５１，Ｄ５２の操作情報を表示する。ユーザが操作情報を参照してキー入力を行った後には、表示画面Ｄ１において操作タイトルＤ２０及び操作機能ガイドＤ４０を消去する。ユーザがキー入力を終了してからの経過時間が設定時間に達したときに操作機能ガイドＤ４０を表示画面Ｄ１に再表示する。【選択図】図４
2009188486.tif 000002
【特許請求の範囲】
【請求項１】
操作に係る複数の操作情報を表示する表示装置であって、
ユーザからの操作を受け付ける操作部と、
前記ユーザからの操作を受け付ける毎に当該操作を受け付けてからの経過時間を計測する計時部と、
前記操作情報の表示を制御する制御部と、を有し、
前記制御部は、前記操作情報の一が表示状態において前記ユーザからの操作を受け付けたときに当該操作情報の一を非表示状態とし、前記操作情報の一が非表示状態において前記計測中の経過時間が所定の時間に達したときに当該操作情報の一を表示状態にするように制御することを特徴とする表示装置。
【請求項２】
前記複数の操作情報は、前記ユーザが入力すべき操作キーを案内する操作キーガイドと、前記操作キーの入力に伴う機能を案内する操作機能ガイドと、を含み、
前記制御部は、前記操作機能ガイドが表示状態において前記ユーザからの操作を受け付けたときに当該操作機能ガイドを非表示状態とし、前記操作機能ガイドが非表示状態において前記計測中の経過時間が所定の時間に達したときに当該操作機能ガイドを表示状態にするように制御することを特徴とする請求項１に記載の表示装置。
【請求項３】
前記操作情報の一の表示を制御するために規定された設定時間を記憶する設定時間記憶部を更に有し、
前記制御部は、前記操作情報の一が非表示状態において前記計測中の経過時間が当該操作情報の一に対応する前記設定時間に達したときに当該操作情報の一を表示状態にするように制御することを特徴とする請求項１又は２に記載の表示装置。
【請求項４】
前記制御部は、前記操作情報の一に対応する前記設定時間が設定されないとき、又は当該設定時間が常時表示を示すときに、当該操作情報の一を常時表示状態にするように制御することを特徴とする請求項３に記載の表示装置。
【請求項５】
前記制御部は、前記操作情報の一に対応する前記設定時間が常時非表示を示すときに、前記操作情報の一が表示状態において前記ユーザからの操作を受け付けたときに当該操作情報の一を常時非表示状態にするように制御することを特徴とする請求項３又は４に記載の表示装置。
【請求項６】
操作に係る複数の操作情報を表示する表示方法であって、
ユーザからの操作を受け付ける操作手順と、
前記ユーザからの操作を受け付ける毎に当該操作を受け付けてからの経過時間を計測する計時手順と、
前記操作情報の表示を制御する制御手順と、を有し、
前記制御手順は、前記操作情報の一が表示状態において前記ユーザからの操作を受け付けたときに当該操作情報の一を非表示状態とし、前記操作情報の一が非表示状態において前記計測中の経過時間が所定の時間に達したときに当該操作情報の一を表示状態にするように制御することを特徴とする表示方法。
【発明の詳細な説明】
【技術分野】
【０００１】
本発明は、表示装置及び表示方法に関する。
【背景技術】
【０００２】
従来、小型の液晶ディスプレイ等に表示する際に、液晶ディスプレイ等の画面の限られた表示領域を有効に活用してユーザインタフェースの向上を図るため、操作ガイドの表示方法に関する様々な技術が提示されている。例えば、以下の特許文献１に記載されている画像処理装置では、使用頻度の高い操作ガイドを優先的に画面に表示することにより、ユーザの操作性及び利便性を向上させようとしている。
【０００３】
【特許文献１】特開２００７−４９３６８号公報
【発明の開示】
【発明が解決しようとする課題】
【０００４】
上記した特許文献１のような画像処理装置の場合、操作に不慣れなユーザにとっては、的確な操作ガイドが画面に表示されることにより、操作が分かり易くなり操作性の向上が図れる。しかしながら、反面、表示された操作ガイドによって画像等の表示内容の一部が隠れることになる。特に小型の液晶ディスプレイ等の画面では、限られた表示領域において画像等をできるだけ広い範囲で表示させる必要があることから、表示内容の一部が隠れることは問題であった。
【課題を解決するための手段】
【０００５】
本発明は、上記の課題の少なくとも一部を解決するためになされたものであり、以下の形態又は適用例として実現することが可能である。
【０００６】
［適用例１］
操作に係る複数の操作情報を表示する表示装置であって、ユーザからの操作を受け付ける操作部と、前記ユーザからの操作を受け付ける毎に当該操作を受け付けてからの経過時間を計測する計時部と、前記操作情報の表示を制御する制御部と、を有し、前記制御部は、前記操作情報の一が表示状態において前記ユーザからの操作を受け付けたときに当該操作情報の一を非表示状態とし、前記操作情報の一が非表示状態において前記計測中の経過時間が所定の時間に達したときに当該操作情報の一を表示状態にするように制御することを特徴とする表示装置。
【０００７】
上記した表示装置によれば、制御部は、ユーザからの操作を受け付けたときに、表示状態にある操作情報を非表示状態にする。これにより、ユーザが操作を行う前には操作情報が表示されており、ユーザはこの操作情報を参照してから操作を行うことができる。そして、ユーザが操作を行った後、これまで表示されていた操作情報が消えることから、ユーザが見る画像等の表示内容が操作情報によって隠れるのを回避することができる。また、制御部は、操作情報が非表示状態において、ユーザからの操作を受け付けてからの経過時間が所定の時間に達したときに非表示状態にある操作情報を表示状態にする。これにより、ユーザが操作を終えて所定の時間が経過したときに、ユーザは再度操作情報を参照して操作を続けることができる。これらの結果、ユーザの操作性の向上を図ると共に、画面の限られた表示領域において画像等をできるだけ広い範囲で表示させることができる。
【０００８】
［適用例２］
前記複数の操作情報は、前記ユーザが入力すべき操作キーを案内する操作キーガイドと、前記操作キーの入力に伴う機能を案内する操作機能ガイドと、を含み、前記制御部は、前記操作機能ガイドが表示状態において前記ユーザからの操作を受け付けたときに当該操作機能ガイドを非表示状態とし、前記操作機能ガイドが非表示状態において前記計測中の経過時間が所定の時間に達したときに当該操作機能ガイドを表示状態にするように制御することを特徴とする上記表示装置。
【０００９】
上記した表示装置によれば、制御部は、ユーザからの操作を受け付けたときに、表示状態にある操作機能ガイドを非表示状態にする。これにより、ユーザが操作を行う前には操作機能ガイドが表示されており、ユーザはこの操作機能ガイドを参照してから操作を行うことができる。そして、ユーザが操作を行った後、これまで表示されていた操作機能ガイドが消えることから、ユーザが見る画像等の表示内容が操作機能ガイドによって隠れるのを回避することができる。また、制御部は、操作機能ガイドが非表示状態において、ユーザからの操作を受け付けてからの経過時間が所定の時間に達したときに非表示状態にある操作機能ガイドを表示状態にする。これにより、ユーザが操作を終えて所定の時間が経過したときに、ユーザは再度操作機能ガイドを参照して操作を続けることができる。
【００１０】
［適用例３］
前記操作情報の一の表示を制御するために規定された設定時間を記憶する設定時間記憶部を更に有し、前記制御部は、前記操作情報の一が非表示状態において前記計測中の経過時間が当該操作情報の一に対応する前記設定時間に達したときに当該操作情報の一を表示状態にするように制御することを特徴とする上記表示装置。
【００１１】
上記した表示装置によれば、制御部は、ユーザからの操作を受け付けてからの経過時間が、記憶されている設定時間に達したときに操作情報を表示状態にする。これにより、ユーザにより設定された設定時間や初期値として設定された設定時間に基づいて、操作情報を表示することができる。
【００１２】
［適用例４］
前記制御部は、前記操作情報の一に対応する前記設定時間が設定されないとき、又は当該設定時間が常時表示を示すときに、当該操作情報の一を常時表示状態にするように制御することを特徴とする上記表示装置。
【００１３】
上記した表示装置によれば、常時表示状態にすべき操作情報について、その操作情報の設定時間を設定しないか、又は常時表示を示す設定内容にすることにより対応することができる。
【００１４】
［適用例５］
前記制御部は、前記操作情報の一に対応する前記設定時間が常時非表示を示すときに、前記操作情報の一が表示状態において前記ユーザからの操作を受け付けたときに、当該操作情報の一を常時非表示状態にするように制御することを特徴とする上記表示装置。
【００１５】
上記した表示装置によれば、ユーザからの操作を受け付けた後に常時非表示状態にすべき操作情報について、その操作情報の設定時間を常時非表示を示す設定内容にすることにより対応することができる。
【００１６】
［適用例６］
操作に係る複数の操作情報を表示する表示方法であって、ユーザからの操作を受け付ける操作手順と、前記ユーザからの操作を受け付ける毎に当該操作を受け付けてからの経過時間を計測する計時手順と、前記操作情報の表示を制御する制御手順と、を有し、前記制御手順は、前記操作情報の一が表示状態において前記ユーザからの操作を受け付けたときに当該操作情報の一を非表示状態とし、前記操作情報の一が非表示状態において前記計測中の経過時間が所定の時間に達したときに当該操作情報の一を表示状態にするように制御することを特徴とする表示方法。
【００１７】
上記した表示方法によれば、制御手順により、ユーザからの操作を受け付けたときに、表示状態にある操作情報を非表示状態にする。これにより、ユーザが操作を行う前には操作情報が表示されており、ユーザはこの操作情報を参照してから操作を行うことができる。そして、ユーザが操作を行った後、これまで表示されていた操作情報が消えることから、ユーザが見る画像等の表示内容が操作情報によって隠れるのを回避することができる。また、制御手順により、操作情報が非表示状態において、ユーザからの操作を受け付けてからの経過時間が所定の時間に達したときに非表示状態にある操作情報を表示状態にする。これにより、ユーザが操作を終えて所定の時間が経過したときに、ユーザは再度操作情報を参照して操作を続けることができる。これらの結果、ユーザの操作性の向上を図ると共に、画面の限られた表示領域において画像等をできるだけ広い範囲で表示させることができる。
【発明を実施するための最良の形態】
【００１８】
（第１実施形態）
以下、第１実施形態に係る表示装置が組み込まれた印刷装置の例について、図面を参照して説明する。
【００１９】
＜印刷装置の概略構成＞
最初に、印刷装置の概略構成について説明する。
図１は、印刷装置１００の外観図である。印刷装置１００は、いわゆる複合機タイプの印刷装置であり、光学的に画像を読み込むスキャナ１１０、画像データの記録されたメモリカードＭＣを挿入するためのメモリカードスロット１２０、及びデジタルカメラ等の機器を接続するＵＳＢインタフェース１３０等を備えている。印刷装置１００は、スキャナ１１０により取り込んだ画像、メモリカードＭＣから読み取った画像、ＵＳＢインタフェース１３０を介してデジタルカメラから読み取った画像等を印刷用紙Ｐに印刷することができる。また、プリンタケーブル等によって接続された図示しないパーソナルコンピュータから入力した画像等の印刷も行うことができる。
【００２０】
印刷装置１００は、印刷に関する種々の操作を行うための操作部としての操作パネル１４０を備えている。操作パネル１４０の中央部には、液晶ディスプレイ１５０が備えられている。この液晶ディスプレイ１５０には、メモリカードＭＣやデジタルスチルカメラ等から読み取った画像や、印刷装置１００の各種機能を利用する際のメニュー画面等が表示される。また、液晶ディスプレイ１５０には、ユーザが入力すべき操作キーを案内する操作キーガイドや、操作キーの入力に伴う機能を案内する操作機能ガイド等の操作情報が表示される。
【００２１】
図２は、印刷装置１００の機能構成を示すブロック図である。同図に示すように、印刷装置１００は、前述した操作パネル１４０、液晶ディスプレイ１５０、スキャナ１１０、メモリカードスロット１２０及びＵＳＢインタフェース（Ｉ／Ｆ）１３０と、制御部２１０、計時部２２０及び印刷エンジン２３０とを備えている。本実施形態では、操作パネル１４０、液晶ディスプレイ１５０、制御部２１０及び計時部２２０が表示装置を構成している。なお、ここで、操作パネル１４０及び液晶ディスプレイ１５０の構成に限られず、表示画面に触れることで操作可能なタッチパネルを液晶ディスプレイ１５０に採用しても良い。
【００２２】
制御部２１０は、ＣＰＵ２１１、ＲＡＭ２１２、ＲＯＭ２１３及びＥＥＰＲＯＭ２１４により構成されている。ＲＡＭ２１２は、揮発性のメモリであり、表示する画像データ、印刷対象となる印刷データ、及び実行するプログラム等が一時的に記憶される。ＲＯＭ２１３には、印刷装置１００の動作を全般的に制御するための制御プログラムが記憶されている。ＣＰＵ２１１は、この制御プログラムをＲＡＭ２１２に展開して実行することで、液晶ディスプレイ１５０に対する表示制御や画像の印刷制御等を行う。ＥＥＰＲＯＭ２１４は、不揮発性のメモリであり、設定時間記憶部として、ユーザから操作パネル１４０を介して受け付けた設定時間情報２１５等が記憶される。この設定時間情報２１５には、本実施形態では、液晶ディスプレイ１５０の画面において、操作機能ガイドが非表示の状態から自動的に表示されるまでの時間を規定する設定時間が登録されている。なお、この設定時間情報２１５は、ユーザからの設定に限られず、表示装置の初期値として予め設定されていても良い。
【００２３】
計時部２２０は、ユーザからのキー入力を操作パネル１４０を介して受け付ける毎に時間の計測を開始する。即ち、ユーザから最後にキー入力を受け付けてからの経過時間を計測する。本実施形態では、制御部２１０は、操作機能ガイドが非表示の状態において、計測中の経過時間が上記した設定時間情報２１５の設定時間に達したときに操作機能ガイドを表示するように制御する。
【００２４】
印刷エンジン２３０は、図示しないが、インクカートリッジキャリッジ、キャリッジを主走査方向に駆動するキャリッジモータ、及び印刷用紙Ｐを副走査方向に搬送する紙送りモータ等を備え、制御部２１０の制御により画像等を印刷用紙Ｐに印刷する。
【００２５】
＜印刷装置における動作＞
次に、本実施形態に係る印刷装置１００における動作について説明する。
図３は、本実施形態に係る印刷装置１００における動作を示すフローチャートである。同図に示すフローチャートは、写真等の画像を液晶ディスプレイ１５０の画面に表示した後、操作パネル１４０を介してユーザからの操作を受け付けたときの動作を示している。なお、実際には写真が選択された後、印刷する動作へ進むことが可能になるが、ここでは、印刷する動作については説明を省略している。
【００２６】
先ず、ステップＳ１１０では、制御部２１０は、液晶ディスプレイ１５０の画面に表示すべき最初の写真と共に、ユーザ操作を案内するための操作情報を表示する。図４は、最初の写真を表示したときの表示画面Ｄ１の例を示す図である。同図では、液晶ディスプレイ１５０の表示画面Ｄ１に、表示写真Ｄ１１、これから実行する操作を示す操作タイトルＤ２０、ユーザが入力すべき操作キーを案内する操作キーガイドＤ３１，Ｄ３２，Ｄ３３，Ｄ３４、操作キーの入力に伴う機能を案内する操作機能ガイドＤ４０、及び枚数情報Ｄ５１，Ｄ５２を表示している。
【００２７】
次に、ステップＳ１２０では、制御部２１０は、ユーザからのキー入力を操作パネル１４０を介して受け付けたか否かを判定する。キー入力を受け付けた場合は、次のステップＳ１３０へ進む。
他方、キー入力を受け付けていない場合は、ユーザからのキー入力を受け付けるまで待機する。
【００２８】
図５は、操作パネル１４０の一部を拡大した図である。同図に示すように、操作パネル１４０には、図４に示す表示画面Ｄ１において、前の表示写真を選択するための左方向ボタンＬＢ、次の表示写真を選択するための右方向ボタンＲＢ、印刷対象として選択された表示写真の印刷枚数を増加させる印刷枚数増加ボタンＩＢ、及び印刷枚数を低減させる印刷枚数低減ボタンＤＢ等が備えられている。
ここで、図４に示す表示画面Ｄ１における操作キーガイドＤ３１，Ｄ３２のそれぞれは、左方向ボタンＬＢ及び右方向ボタンＲＢを示している。また、操作キーガイドＤ３３，Ｄ３４のそれぞれは、印刷枚数低減ボタンＤＢ及び印刷枚数増加ボタンＩＢを示している。ステップＳ１２０では、これらの左方向ボタンＬＢ、右方向ボタンＲＢ、印刷枚数増加ボタンＩＢ及び印刷枚数低減ボタンＤＢを、ユーザから受け付けたか否かを判定する。ユーザは、これらのボタンをキー入力することにより、印刷対象となる表示写真の選択、及び印刷枚数の設定を行うことができる。
【００２９】
次に、ステップＳ１３０では、制御部２１０は、表示画面Ｄ１に表示されている操作タイトルＤ２０を消去する。
【００３０】
次に、ステップＳ１４０では、制御部２１０は、表示画面Ｄ１に操作機能ガイドＤ４０が表示されている場合、表示されている操作機能ガイドＤ４０を消去する。
【００３１】
次に、ステップＳ１５０では、制御部２１０は、ステップＳ１２０において受け付けたユーザからのキー入力に応じて、表示画面Ｄ１に表示されている表示写真の切り替え、又は印刷枚数の増減の設定を行う。このとき、表示されている枚数情報Ｄ５１又は枚数情報Ｄ５２の増減も併せて行う。
【００３２】
図６は、次の表示写真に切り替わるときの表示画面Ｄ１の例を示す図である。また、図７は、次の表示写真に切り替わった後の表示画面Ｄ１の例を示す図である。図６に示すように、例えば、ユーザから右方向ボタンＲＢが入力されて次の表示写真Ｄ１２に切り替わるとき、表示画面Ｄ１において、操作タイトルＤ２０及び操作機能ガイドＤ４０が消去されている。また、図７に示すように、次の表示写真Ｄ１２に切り替わった後、操作情報としては操作キーガイドＤ３１，Ｄ３２，Ｄ３３，Ｄ３４、及び枚数情報Ｄ５１，Ｄ５２のみが表示されている。
【００３３】
次に、ステップＳ１６０では、制御部２１０は、ユーザからのキー入力を操作パネル１４０を介して受け付けたか否かを判定する。キー入力を受け付けた場合は、ステップＳ１４０に戻り、操作機能ガイドＤ４０が表示されている場合はこれを消去し、そして、キー入力に応じた処理を行う。
他方、キー入力を受け付けていない場合は、ステップＳ１７０へ進む。
【００３４】
次に、ステップＳ１７０では、制御部２１０は、ユーザからのキー入力を操作パネル１４０を介して受け付けてからの経過時間が、ＥＥＰＲＯＭ２１４に記憶されている設定時間情報２１５の設定時間に達したか否かを判定する。経過時間が設定時間に達した場合は、ステップＳ１８０へ進み、制御部２１０は、ステップＳ１４０において消去された操作機能ガイドＤ４０を表示画面Ｄ１に再表示する。そして、ステップＳ１６０に戻り、ユーザからのキー入力を受けるまで待機する。
他方、経過時間が設定時間に達していない場合は、ステップＳ１６０に戻り、ユーザからのキー入力を受けるか、又は経過時間が設定時間に達するまで待機する。
【００３５】
図８は、操作機能ガイドＤ４０を再表示したときの表示画面Ｄ１の例を示す図である。同図は、ユーザが最後にキー入力を行ってからの経過時間が設定時間に達した後の表示画面Ｄ１である。つまり、ユーザが操作パネル１４０を介してキー入力を行っている間、表示画面Ｄ１には操作機能ガイドＤ４０が表示されないが、ユーザのキー入力が終了して一定の時間が経過したときに操作機能ガイドＤ４０が表示画面Ｄ１に表示されることになる。
【００３６】
上述した実施形態では、液晶ディスプレイ１５０の表示画面Ｄ１に最初に写真を表示するときには、操作タイトルＤ２０、操作キーガイドＤ３１，Ｄ３２，Ｄ３３，Ｄ３４、操作機能ガイドＤ４０、及び枚数情報Ｄ５１，Ｄ５２の操作情報を表示している。ユーザは、これらの操作情報を画面上で参照することにより、これから実行する操作内容、使用する操作キー、及び各操作キーの機能等を把握することができる。
【００３７】
また、ユーザが操作情報を参照してキー入力を行った後には、表示画面Ｄ１における操作タイトルＤ２０及び操作機能ガイドＤ４０が消去される。これらの操作情報が消去されることにより、図７の表示画面Ｄ１の例に示すように、ユーザは、表示写真Ｄ１２の一部が操作タイトルＤ２０及び操作機能ガイドＤ４０によって隠れることなく見ることができる。この操作タイトルＤ２０及び操作機能ガイドＤ４０は、操作機能を把握して実際にキー入力を行っているユーザにとっては、優先度の低い操作情報であることから、ユーザの操作性に与える影響度は低いと考えられる。
【００３８】
更に、ユーザがキー入力を終了してからの経過時間が設定時間に達したときに操作機能ガイドＤ４０が表示画面Ｄ１に再表示される。例えば、キー入力を行っているユーザがキー入力作業を一旦中断して再度キー入力の続きを行う場合に、表示画面Ｄ１には操作機能ガイドＤ４０が再表示されている。これにより、ユーザは、使用する各操作キーの操作機能を再度把握してキー入力を行うことができる。
上記により、ユーザの操作性の向上を図ると共に、表示画面Ｄ１の限られた表示領域において表示写真をできるだけ広い範囲で表示させることができる。そして、例えば小型の液晶ディスプレイ等の画面における、操作性を向上させるためのガイド表示によって表示内容の一部が隠れてしまう問題に対応することができる。
【００３９】
（第２実施形態）
次に、第２実施形態に係る表示装置が組み込まれた印刷装置の例について、図面を参照して説明する。
【００４０】
第２実施形態に係る印刷装置の概略構成は、第１実施形態に係る印刷装置１００の概略構成と同様であり、図１に示す印刷装置１００の外観図及び図２に示す印刷装置１００の機能構成を示すブロック図が適用できる。また、本実施形態では、図２に示すブロック図のＥＥＰＲＯＭ２１４に記憶される設定時間情報２１５に、液晶ディスプレイ１５０の画面に表示する各操作情報別の設定時間が登録されている。ここでの設定時間には、該当する操作情報を非表示の状態から自動的に表示するまでの時間を規定する設定と、該当する操作情報を常時表示状態にする設定と、該当する操作情報を常時非表示状態にする設定とがあるが、具体例は後述する。
【００４１】
次に、本実施形態に係る印刷装置１００における動作について説明する。
図９は、本実施形態に係る印刷装置１００における動作を示すフローチャートである。同図に示すフローチャートは、図３に示す第１実施形態におけるフローチャートと同様に、写真等の画像を液晶ディスプレイ１５０の画面に表示した後、操作パネル１４０を介してユーザからの操作を受け付けたときの動作を示している。
【００４２】
先ず、ステップＳ２１０，Ｓ２２０では、制御部２１０は、図３に示すローチャートのステップＳ１１０，Ｓ１２０と同様に、液晶ディスプレイ１５０に表示すべき最初の写真と共に、ユーザ操作を案内するための操作情報を表示し（図４に示す表示画面Ｄ１）、そして、ユーザからのキー入力を操作パネル１４０を介して受け付けたか否かを判定する。キー入力を受け付けた場合は、次のステップＳ２３０へ進む。
他方、キー入力を受け付けていない場合は、ユーザからのキー入力を受け付けるまで待機する。
【００４３】
次に、ステップＳ２３０では、制御部２１０は、ＥＥＰＲＯＭ２１４に記憶されている設定時間情報２１５の設定時間を参照する。そして、設定時間が「常時表示」を示している操作情報はそのまま表示し、それ以外の操作情報を表示画面Ｄ１から消去する（図７に示す表示画面Ｄ１）。
【００４４】
図１０は、各操作情報別の設定時間が登録されている設定時間情報２１５の例を示す図である。同図では、「操作キーガイド」及び「枚数情報」の設定時間に「０」が設定されており、本実施形態では、この「０」は「常時表示」を示している。従って、同図の例では、ステップＳ２３０において、表示画面Ｄ１に表示されている操作キーガイドＤ３１，Ｄ３２，Ｄ３３，Ｄ３４及び枚数情報Ｄ５１，Ｄ５２はそのまま表示されて、操作タイトルＤ２０及び操作機能ガイドＤ４０は消去される。なお、本実施形態では、設定時間の「０」が「常時表示」を示すようにしたが、これに限られず、例えば識別記号等により「常時表示」を示しても良いし、設定時間が設定されていない操作情報を「常時表示」の扱いとしても良い。
【００４５】
次に、ステップＳ２４０，Ｓ２５０では、制御部２１０は、図３に示すローチャートのステップＳ１５０，Ｓ１６０と同様に、ステップＳ２２０において受け付けたユーザからのキー入力に応じて、表示画面Ｄ１に表示されている表示写真Ｄ１１の切り替え、又は印刷枚数の増減の処理を行い、そして、ユーザからのキー入力を操作パネル１４０を介して受け付けたか否かを判定する。キー入力を受け付けた場合は、ステップＳ２３０に戻り、設定時間が「常時表示」を示していない操作情報が表示されている場合はこれを消去し、そして、キー入力に応じた処理を行う。
他方、キー入力を受け付けていない場合は、ステップＳ２６０へ進む。
【００４６】
次に、ステップＳ２６０では、制御部２１０は、ユーザからのキー入力を操作パネル１４０を介して受け付けてからの経過時間が、ＥＥＰＲＯＭ２１４に記憶されている設定時間情報２１５の設定時間に達している操作情報があるか否かを判定する。経過時間が設定時間に達している操作情報がある場合、即ち経過時間が操作情報のいずれかの設定時間に達している場合は、ステップＳ２７０へ進み、制御部２１０は、経過時間が設定時間に達している操作情報を表示画面Ｄ１に再表示する（図８に示す表示画面Ｄ１）。そして、ステップＳ２５０に戻り、ユーザからのキー入力を受けるか、又は経過時間が他の操作情報のいずれかの設定時間に達するまで待機する。
他方、経過時間が設定時間に達している操作情報がない場合、即ち経過時間が操作情報のいずれの設定時間にも達してない場合は、ステップＳ２５０に戻り、ユーザからのキー入力を受けるか、又は経過時間が操作情報のいずれかの設定時間に達するまで待機する。
【００４７】
図１０に示す設定時間情報２１５の例の場合、「操作タイトル」の設定時間には「９９９９９」が設定されており、本実施形態では、この「９９９９９」は「常時非表示」を示している。従って、表示画面Ｄ１の操作タイトルＤ２０は、ステップＳ２１０において最初に表示されて、ステップＳ２３０において消去されると、再度表示されることがない。なお、本実施形態では、設定時間の「９９９９９」が「常時非表示」を示すようにしたが、これに限られず、例えば識別記号等により「常時非表示」を示しても良いし、設定時間が設定されていない操作情報を「常時非表示」の扱いとしても良い。
また、「操作機能ガイド」の設定時間には「５」が設定されており、この「５」は経過時間が５秒後に操作機能ガイドＤ４０を再表示することを示している。
【００４８】
上述した実施形態では、ＥＥＰＲＯＭ２１４に記憶されている設定時間情報２１５に、各操作情報別の設定時間が登録されている。ここでの設定時間には、該当する操作情報を非表示の状態から自動的に表示するまでの時間を規定する設定と、該当する操作情報を常時表示状態にする設定と、該当する操作情報を常時非表示状態にする設定とがある。これらの設定により、液晶ディスプレイ１５０の表示画面Ｄ１への各操作情報の表示及び非表示を、各操作情報の種類、機能、表示サイズ及び色、及び優先度等に合わせて自由に制御することができる。この結果、例えば小型の液晶ディスプレイ等の画面における、操作性を向上させるためのガイド表示によって表示内容の一部が隠れてしまう問題に対して、よりきめ細かく、且つ柔軟に対応することができる。
【図面の簡単な説明】
【００４９】
【図１】印刷装置の外観図。
【図２】印刷装置の機能構成を示すブロック図。
【図３】第１実施形態に係る印刷装置における動作を示すフローチャート。
【図４】最初の写真を表示したときの表示画面の例を示す図。
【図５】操作パネルの一部を拡大した図。
【図６】次の表示写真に切り替わるときの表示画面の例を示す図。
【図７】次の表示写真に切り替わった後の表示画面の例を示す図。
【図８】操作機能ガイドを再表示したときの表示画面の例を示す図。
【図９】第２実施形態に係る印刷装置における動作を示すフローチャート。
【図１０】各操作情報別の設定時間が登録されている設定時間情報の例を示す図。
【符号の説明】
【００５０】
１００…印刷装置、１１０…スキャナ、１２０…メモリカードスロット、１３０…ＵＳＢインタフェース、１４０…操作パネル、１５０…液晶ディスプレイ、２１０…制御部、２１１…ＣＰＵ、２１２…ＲＡＭ、２１３…ＲＯＭ、２１４…ＥＥＰＲＯＭ、２１５…設定時間情報、２２０…計時部、２５４…ＥＥＰＲＯＭ、２８０…印刷エンジン、Ｄ１…表示画面、Ｄ１１，Ｄ１２…表示写真、Ｄ２０…操作タイトル、Ｄ３１，Ｄ３２，Ｄ３３，Ｄ３４…操作キーガイド、Ｄ４０…操作機能ガイド、Ｄ５１，Ｄ５２…枚数情報。
【図１】
2009188486.tif 000003
【図２】
2009188486.tif 000004
【図３】
2009188486.tif 000005
【図５】
2009188486.tif 000006
【図９】
2009188486.tif 000007
【図１０】
2009188486.tif 000008
【図４】
2009188486.tif 000009
【図６】
2009188486.tif 000010
【図７】
2009188486.tif 000011
【図８】
2009188486.tif 000012